(57)【要約】【課題】サブパワーにより制御する昇圧型直流の電気エネルギー出力制御回路装置を提供する。【解決手段】直流電源の一部の電気エネルギーを利用し、電気エネルギー制御装置（ＥＣＵ１０１）によって交互極性の電気エネルギー又はリップル電気エネルギーに変換してから、変圧器の１次側へ伝送し、また変圧器の２次側により交互電気エネルギー又はリップル電気エネルギーを出力してから、更に全波整流装置によって形成する直流補助電源と直流の電気エネルギー入力端（ＩＮＰＴ１０１）の直流電源を直列接続して電圧加算をすることにより、直流の電気エネルギー出力端（ＯＵＰＴ１０２）から昇圧型直流の電気エネルギーを出力し、変圧器は昇圧部分のパワーのみを提供すると、フルパワートランスを使う必要がないので、重量が軽減され、及びコストダウンになる。【選択図】図１
2015012805.tif 000002
【特許請求の範囲】
【請求項１】
正極と負極の入力端子である直流電圧間に接続され、直流の電気エネルギーである交流電圧に変換して出力する電気エネルギー制御装置（ＥＣＵ１０１）と、
前記電気エネルギー制御装置（ＥＣＵ１０１）の交流電圧が入力される１次側巻線（Ｗ１）と、変圧された電圧を出力する２次巻線とを有する変圧器（ＴＲ１０１）と、
二つのダイオードを直列に接続した直列ダイオードを並列に備えるとともに、直列に接続された前記二つのダイオードの間に前記２次巻線のそれぞれの出力端子が接続され、前記直列ダイオードのアノードに前記電気エネルギー制御装置（ＥＣＵ１０１）の正極端子が接続され、前記直列ダイオードのカソードが出力端子とされるブリッジ整流装置（ＢＲ１０１）と、
前記ブリッジ整流装置（ＢＲ１０１）と並列に接続されるバイパス用ダイオード（ＣＲ１０１）とを備え、
前記ブリッジ整流装置の出力端子と前記電気エネルギー制御装置（ＥＣＵ１０１）が接続される負極の入力端子間が直流電圧出力端子とされる昇圧型直流の電気エネルギー出力制御回路装置。
【請求項２】
前記ブリッジ整流装置（ＢＲ１０１）と前記バイパス用ダイオード（ＣＲ１０１）とに並列に電気エネルギーリップル抑制回路装置（ＲＦＣ１００）を接続することを特徴とする請求項１に記載の昇圧型直流の電気エネルギー出力制御回路装置。
【請求項３】
前記直流電圧出力端子間に電気エネルギーリップル抑制回路装置（ＲＦＣ２００）を接続することを特徴とする請求項１または請求項２に記載の昇圧型直流の電気エネルギー出力制御回路。
【請求項４】
前記直流電圧出力端子に電圧検知装置（ＶＤ１００）を接続し、検知された電気エネルギーを電気エネルギー制御装置（ＥＣＵ１０１）へ帰還することにより、電気エネルギー制御装置（ＥＣＵ１０１）の出力を設定することを特徴とする請求項１乃至請求項３のいずれか１項に記載の昇圧型直流の電気エネルギー出力制御回路装置。
【請求項５】
前記電圧検知装置（ＶＤ１００）は、物理効果によって構成される電圧検知装置であり、検知した電圧値の大きさをアナログ信号又はデジタル信号に変換してから、前記電気エネルギー制御装置（ＥＣＵ１０１）へ帰還し、又は表示することを特徴とする請求項４に記載の昇圧型直流の電気エネルギー出力制御回路装置。
【請求項６】
前記直流電圧出力端子に電流検知装置（ＩＤ１００）を接続し、検知された電気エネルギーを電気エネルギー制御装置（ＥＣＵ１０１）へ帰還することにより、電気エネルギー制御装置（ＥＣＵ１０１）の出力を設定することを特徴とする請求項１乃至請求項４のいずれか１項に記載の昇圧型の電気エネルギー出力制御回路装置。
【請求項７】
前記電流検知装置（ＩＤ１００）は、物理効果によって構成される電流検知装置であり、検知した電流値の大きさをアナログ信号又はデジタル信号に変換してから、前記電気エネルギー制御装置（ＥＣＵ１０１）へ帰還し、又は表示することを特徴とする請求項６に記載の昇圧型直流の電気エネルギー出力制御回路装置。
【請求項８】
電気機械式ユニット又は固体電子ユニットによって構成されることにより、人力又は外部電気エネルギー信号に制御されて得られる信号を前記電気エネルギー制御装置（ＥＣＵ１０１）へ出力する入力制御装置（ＩＰＤ１０１）を設けることを特徴とする請求項５に記載の昇圧型直流の電気エネルギー出力制御回路装置。
【請求項９】
電気機械式ユニット又は固体電子ユニットによって構成されることにより、人力又は外部電気エネルギー信号に制御されて得られる信号を前記電気エネルギー制御装置（ＥＣＵ１０１）へ出力する入力制御装置（ＩＰＤ１０１）を設けることを特徴とする請求項７に記載の昇圧型直流の電気エネルギー出力制御回路装置。
【請求項１０】
前記電圧検知装置（ＶＤ１００）は、
電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力の大きさを制御し、更に最大電圧出力の制御を含み、
電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力を固定し、又は調整可能な定電圧を制御し、
電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力値、例えば充電モードに対して、多設定・変動制御を行うことを特徴とする請求項５に記載の昇圧型直流の電気エネルギー出力制御回路装置。
【請求項１１】
前記電流検知装置（ＩＤ１００）は、電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力の大きさを制御し、更に最大電流出力の制御を含み、
電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力を固定し、又は調整可能な定電流を制御し、
電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力値、例えば充電モードに対して、多設定・変動制御を行うことを特徴とする請求項７に記載の昇圧型直流の電気エネルギー出力制御回路装置。
【請求項１２】
直流電源は、各種の物理的から来る直流の電気エネルギー源、例えば機械的エネルギー、人力又は流体のエネルギーに駆動される電気機械式発電機、光エネルギーを電気エネルギーへ転換する光起電力装置、又は電気化学的性質から来る直流の電気エネルギー、例えば１次電池又は２次蓄放電装置、燃料電池装置、生物的から来る直流の電気エネルギー、交流電源を整流した定電圧、又は変動電源の直流の電気エネルギーを含むことを特徴とする請求項1乃至請求項１１のいずれか１項に記載の昇圧型直流の電気エネルギー出力制御回路装置。
【発明の詳細な説明】
【技術分野】
【０００１】
本発明は、直流電圧を昇圧して出力する昇圧型直流の電気エネルギー出力制御回路装置に関する。
【背景技術】
【０００２】
従来、直流電源の直流電圧を昇圧するとき、先ず交流極性の電気エネルギーである交流電圧に変換してフルパワーの変圧器によって昇圧し、更に昇圧された交流電圧を整流して直流電圧に変換していた（特許文献１参照）。
【先行技術文献】
【特許文献】
【０００３】
【特許文献１】特許第３３７１９６０号公報
【発明の概要】
【発明が解決しようとする課題】
【０００４】
しかしながら、フルパワー変圧器の体積は大きく、重さ及びコストが増え、かつ鉄損も大きくなる欠点がある。一方、ＤＣ−ＤＣコンバータの２次側と直流電源を直列接続し、２次側の電気エネルギーを出力する従来のＤＣ−ＤＣコンバータでは、全部出力方式と比較すると、ＤＣ−ＤＣコンバータのパワー容量が減る。
【課題を解決するための手段】
【０００５】
本発明の実施の形態によれば、直流電源の一部の電気エネルギーを利用し、電気エネルギー制御装置（ＥＣＵ１０１）によって交互極性の電気エネルギー又はリップル電気エネルギーに変換してから、変圧器の１次側へ伝送し、また変圧器の２次側により交互電気エネルギー又はリップル電気エネルギーを出力してから、更に全波整流装置によって形成する直流補助電源と直流の電気エネルギー入力端（ＩＮＰＴ１０１）の直流電源を直列接続して電圧加算をすることにより、直流の電気エネルギー出力端（ＯＵＰＴ１０２）から昇圧型直流の電気エネルギーを出力し、変圧器は昇圧部分のパワーのみを提供することができる。
【０００６】
すなわち、本発明の実施の形態においては、正極と負極の入力端子である直流電圧間に接続され、直流の電気エネルギーである交流電圧に変換して出力する電気エネルギー制御装置（ＥＣＵ１０１）と、前記電気エネルギー制御装置（ＥＣＵ１０１）の交流電圧が入力される１次側巻線（Ｗ１）と、変圧された電圧を出力する２次巻線とを有する変圧器（ＴＲ１０１）と、二つのダイオードを直列に接続した直列ダイオードを並列に備えるとともに、直列に接続された前記二つのダイオードの間に前記２次巻線のそれぞれの出力端子が接続され、前記直列ダイオードのアノードに前記電気エネルギー制御装置（ＥＣＵ１０１）の正極端子が接続され、前記直列ダイオードのカソードが出力端子とされるブリッジ整流装置（ＢＲ１０１）と、
前記ブリッジ整流装置（ＢＲ１０１）と並列に接続されるバイパス用ダイオード（ＣＲ１０１）とを備え、
前記ブリッジ整流装置の出力端子と前記電気エネルギー制御装置（ＥＣＵ１０１）が接続される負極の入力端子間が直流電圧出力端子とされるようにした昇圧型直流の電気エネルギー出力制御回路装置が開示されている。
【発明の効果】
【０００７】
本発明によれば、フルパワートランスに相当する電力効率を得ることができるとともに、フルパワートランスを使用する必要がないために重量が軽減され、さらにコストダウンになる。
【図面の簡単な説明】
【０００８】
【図１】実施の形態１を示すブロック回路図であり、本発明のユニットの主回路構成を示すブロック回路図である。
【図２】実施の形態の昇圧機能を示す等価回路図である。
【図３】実施の形態２を示すブロック回路図であり、実施の形態１の構成に更に電気エネルギーのリップル抑制装置を設置した場合を示す。
【図４】実施の形態３を示すブロック回路図であり、実施の形態１の構成に更に電気エネルギー出力検知装置を設置した場合を示す。
【図５】実施の形態４を示すブロック回路図であり、実施の形態３の構成に更に電気エネルギーリップル抑制回路装置を設置した場合を示す。
【図６】実施の形態５を示すブロック回路図であり、実施の形態１の電気エネルギー制御装置（ＥＣＵ１０１）に入力制御装置（ＩＰＤ１０１）を設けた場合を示す。
【図７】実施の形態６を示すブロック回路図であり、実施の形態２の電気エネルギー制御装置（ＥＣＵ１０１）に入力制御装置（ＩＰＤ１０１）を設けた場合を示す。
【図８】実施の形態７を示すブロック回路図であり、実施の形態３の電気エネルギー制御装置（ＥＣＵ１０１）に入力制御装置（ＩＰＤ１０１）を設けた場合を示す。
【図９】実施の形態８を示すブロック回路図であり、実施の形態４の電気エネルギー制御装置（ＥＣＵ１０１）に入力制御装置（ＩＰＤ１０１）を設けた場合を示す。
【発明を実施するための形態】
【０００９】
従来の直流電源の電圧を昇圧するとき、先ず交流電圧の電気エネルギーに変換してから、フルパワーの変圧器によって交流電圧の電気エネルギーを相対的に高電圧の出力に昇圧する。そして、その昇圧された交流電圧を整流して直流の電気エネルギーに変換することで、直流昇圧機能を達成している。しかし、この場合、フルパワー変圧器の体積は大きくなり、重さ及びコストが増え、かつ鉄損も大きくなる欠点がある。
本発明の特徴は直流電源の一部の電気エネルギーを利用し、電気エネルギー制御装置（ＥＣＵ１０１）によって交流の電気エネルギー又はリップル電気エネルギーに変換してから、変圧器の１次側へ伝送する。そして、変圧器の２次側により交流電気エネルギー又はリップル電気エネルギーを出力として取り出し、更にそれを全波整流装置によって形成される直流補助電源とする。そして、その補助電源と直流の電気エネルギー入力端（ＩＮＰＴ１０１）の直流電源とを直列接続して電圧加算をすることにより、直流の電気エネルギー出力端（ＯＵＰＴ１０２）から昇圧型直流の電気エネルギーを出力するようにした。変圧器は昇圧部分のパワーのみを提供するようにすることで、フルパワートランスを使う必要がなくなり、重量が軽減され、及びコストダウンになる。
【００１０】
本発明のサブパワーにより制御する昇圧型直流の電気エネルギー出力制御回路装置の応用範囲は、電圧調整機能を備えないシングル電圧出力、調整可能な電圧出力、シングル出力安定化電圧、調整可能な出力安定化電圧の直流電源供給、直流の電気エネルギーの入力が必要であり、例えば電圧制御装置付充電器への電源供給、直流電源を昇圧するＤＣ−ＤＣコンバータ、電圧・電流調整により直流ブラシ又はブラシレスモータの駆動速度の変更、トルク調整、電気エネルギーを光エネルギーに転換する照明灯具の調光、電熱機器への電源供給、電気化学機器への電源供給、直流溶接又は直流放電の電源供給等が含まれる。
【００１１】
（実施の形態１）
図１に本発明のユニットの主回路構成及びブロックモード図を示す。
図１に示すように、その主な構成は以下の通りである。
電気エネルギー制御装置（ＥＣＵ１０１）は、電気機械式ユニット、固体電子ユニット、マイクロプロセッサ、関連ソフトウェアの全部又は一部によって構成され、直流の電気エネルギー入力端（ＩＮＰＴ１０１）に入力する直流の電気エネルギーを交流の電気エネルギーに変換してから、変圧器（ＴＲ１０１）の１次側巻線（Ｗ１）へ入力する。そして、変圧器（ＴＲ１０１）の２次側巻線（Ｗ２）から設定した変圧比の交流の電気エネルギーを出力する。この出力された電気エネルギーはブリッジ整流装置（ＢＲ１０１）の直流出力端を経て、補助直流の電気エネルギー出力端（Ｔ３）へ伝送される。
【００１２】
直流の電気エネルギー入力端（ＩＮＰＴ１０１）に電気エネルギー制御装置（ＥＣＵ１０１）の正極側(入力側)が接続され、またブリッジ整流装置（ＢＲ１０１）により形成される直流補助電源の入力端子（補助電源の負極側：図２参照）が接続される。更に直流補助電源の出力端子（補助電源の正端側）から直流の電気エネルギー出力端子（ＯＵＰＴ１０２）の正端子側へ接続され、また直流の電気エネルギー入力端（ＩＮＰＴ１０１）の負端子と電気エネルギー制御装置（ＥＣＵ１０１）の負端子が接続されて、直流の電気エネルギー出力端（ＯＵＰＴ１０２）の負端子が接続される。
【００１３】
直流補助電源の出力正端子と負端子との間にバイパス機能のダイオード（ＣＲ１０１）を並列に接続し、ダイオード（ＣＲ１０１）の電流流入端子（アノード）とブリッジ整流装置（ＢＲ１０１）出力の負端子を接続する。ダイオード（ＣＲ１０１）の出力端子（カソード）とブリッジ整流装置（ＢＲ１０１）出力の正端子を接続する。かくして、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成する。
【００１４】
図２に本発明の昇圧機能の等価回路モード図を示す。
図２に示すように、直流の電気エネルギー入力端（ＩＮＰＴ１０１）に入力する直流電圧と変圧器（ＴＲ１０１）２次側は、ブリッジ整流装置（ＢＲ１０１）に整流出力される直流電圧を経て、順極性に直列接続され、２つの電圧が加算されて、直流の電気エネルギー出力端（ＯＵＰＴ１０２）によって昇圧して出力される。
【００１５】
（実施の形態２）
図３は図１の構成に電気エネルギーのリップル抑制装置を設置する実施形態を示すブロック図である。
図３に示すように、図１に示した実施の形態１に更にブリッジ整流装置（ＢＲ１０１）の補助直流の電気エネルギー出力端（Ｔ３）と、直流の電気エネルギー出力端（ＯＵＰＴ１０２）の両端のそれぞれに電気エネルギーリップル抑制回路装置（ＲＦＣ１００）、電気エネルギーリップル抑制回路装置（ＲＦＣ２００）のぞれぞれを並列に接続することによって、補助直流の電気エネルギーのリップルを減らすようにした。
【００１６】
（実施の形態３）
図４は図１の構成における直流の電気エネルギー出力端（ＯＵＰＴ１０２）に電気エネルギー出力検知装置を設置する実施形態を示すブロック図である。
図４に示すように、実施の形態３は、図１に示した実施の形態１の直流の電気エネルギー出力端（ＯＵＰＴ１０２）に電気エネルギー検知装置を設置している。
【００１７】
電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送（帰還）することにより、電気エネルギー制御装置（ＥＣＵ１０１）によって、電圧出力と電流出力モードの両方、又はいずれか一方を設定し、電気エネルギー制御装置（ＥＣＵ１０１）に対して変圧器（ＴＲ１０１）の１次側巻線（Ｗ１）へ出力する電気エネルギーを制御することによって、補助直流の電気エネルギー出力端（Ｔ３）の電圧出力と電流出力の両方、又はいずれか一方を調整する。更に相対的に直流の電気エネルギー出力端（ＯＵＰＴ１０２）の電圧出力と電流の両方、又はいずれか一方を変更する。
【００１８】
（実施の形態４）
図５は図１の実施の形態１において、更に電気エネルギーリップル抑制回路装置を設置し、及び直流の電気エネルギー出力端（ＯＵＰＴ１０２）に電気エネルギー出力検知装置を設置する実施の形態を示すブロック図である。
図５に示すように、実施の形態１のブリッジ整流装置（ＢＲ１０１）の補助直流の電気エネルギー出力端（Ｔ３）に電気エネルギーリップル抑制回路装置（ＲＦＣ１００）を接続し、直流の電気エネルギー出力端（ＯＵＰＴ１０２）の両端に電気エネルギーリップル抑制回路装置（ＲＦＣ２００）を並列に接続する。更に直流の電気エネルギー出力端（ＯＵＰＴ１０２）に電気エネルギー検知装置を設置し、電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送（帰還）する。
【００１９】
これにより、電気エネルギー制御装置（ＥＣＵ１０１）によって電圧出力と電流出力モードの両方、又はいずれか一方を設定し、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更する。
【００２０】
（実施の形態５）
図６は、図１に示した実施の形態１の電気エネルギー制御装置（ＥＣＵ１０１）に入力制御装置（ＩＰＤ１０１）を設け、直流の電気エネルギー出力端（ＯＵＰＴ１０２）の電圧出力を制御することができるようにしたブロック図を示す。
【００２１】
入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送する。
【００２２】
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交流極性の電気エネルギーに変換してから、変圧器（ＴＲ１０１）の１次側巻線（Ｗ１）へ出力し、変圧器（ＴＲ１０１）の２次側巻線（Ｗ２）から設定した変圧比の交流極性の電気エネルギーを出力し、ブリッジ整流装置（ＢＲ１０１）の直流出力端を経て、補助直流の電気エネルギー出力端（Ｔ３）へ伝送する。
【００２３】
直流の電気エネルギー入力端（ＩＮＰＴ１０１）に、電気エネルギー制御装置（ＥＣＵ１０１）の正極端子が接続され、また直流補助電源の負端子が接続される。更に直流補助電源の正端子が直流の電気エネルギー出力端（ＯＵＰＴ１０２）の正端子へ接続される。また直流の電気エネルギー入力端（ＩＮＰＴ１０１）の負端子と電気エネルギー制御装置（ＥＣＵ１０１）の負端子が接続されて、更に直流の電気エネルギー出力端（ＯＵＰＴ１０２）の負端子とが接続される。
【００２４】
直流補助電源の出力正端子と負端子との間にバイパス機能のダイオード（ＣＲ１０１）を並列に接続し、ダイオード（ＣＲ１０１）の電流流入端とブリッジ整流装置（ＢＲ１０１）出力の負端子を接続し、ダイオード（ＣＲ１０１）の出力端子（カソード）とブリッジ整流装置（ＢＲ１０１）出力の正端子を接続することによって、直流電源を順極性に直列接続する直流補助電源を構成する。
【００２５】
更に直流の電気エネルギー出力端（ＯＵＰＴ１０２）によって電圧に加算する昇圧を出力することによって、一部のパワーコントロール型直流の電気エネルギーの出力駆動回路を構成する。
【００２６】
（実施の形態６）
図７は、実施の形態６として、図３に示した実施の形態２の電気エネルギー制御装置（ＥＣＵ１０１）に入力制御装置（ＩＰＤ１０１）を設け、直流の電気エネルギー出力端（ＯＵＰＴ１０２）の電圧出力を制御するようにしたブロック図を示す。
【００２７】
図７において、入力制御装置（ＩＰＤ１０１）は、電気機械式ユニット又は固体電子ユニットによって構成されることにより、人力又は外部電気エネルギー信号により制御され、信号を電気エネルギー制御装置（ＥＣＵ１０１）へ伝送する。
【００２８】
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交流極性の電気エネルギーに変換してから、変圧器（ＴＲ１０１）の１次側巻線（Ｗ１）へ出力し、変圧器（ＴＲ１０１）の２次側巻線（Ｗ２）から設定した変圧比の交流極性の電気エネルギーを出力し、ブリッジ整流装置（ＢＲ１０１）の直流出力端を経て、補助直流の電気エネルギー出力端（Ｔ３）へ伝送する。
【００２９】
直流の電気エネルギー入力端（ＩＮＰＴ１０１）の正端子には、電気エネルギー制御装置（ＥＣＵ１０１）の正極端子が接続され、また直流補助電源の負端子が接続される。更に直流補助電源の正端端子が直流の電気エネルギー出力端（ＯＵＰＴ１０２）の正端子に接続され、また直流の電気エネルギー入力端（ＩＮＰＴ１０１）の負端子と電気エネルギー制御装置（ＥＣＵ１０１）の負端子が接続され、また直流の電気エネルギー出力端（ＯＵＰＴ１０２）の負端子が接続される。
【００３０】
直流補助電源の出力正端子と負端子との間にバイパス機能のダイオード（ＣＲ１０１）が並列に接続され、ダイオード（ＣＲ１０１）の電流流入端子とブリッジ整流装置（ＢＲ１０１）出力の負端子が接続されてから、ダイオード（ＣＲ１０１）の出力端子とブリッジ整流装置（ＢＲ１０１）出力の正端子が接続される。
【００３１】
これにより、直流電源を順極性に直列接続する直流補助電源を獲得してから、更に直流の電気エネルギー出力端（ＯＵＰＴ１０２）によって電圧に加算される昇圧を出力することによって、一部のパワーコントロール型直流の電気エネルギーの出力駆動回路を構成する。
【００３２】
ブリッジ整流装置（ＢＲ１０１）の補助直流の電気エネルギー出力端（Ｔ３）、直流の電気エネルギー出力端（ＯＵＰＴ１０２）の両端のそれぞれには、電気エネルギーリップル抑制回路装置（ＲＦＣ１００）と電気エネルギーリップル抑制回路装置（ＲＦＣ２００）がそれぞれ接続される。なお、これら二つの電気エネルギーリップル抑制回路装置（ＲＦＣ１００、ＲＦＣ２００）はいずれか一方のみを備えるようにしても良い。
【００３３】
（実施の形態７）
図８は図４に示した実施の形態３の電気エネルギー制御装置（ＥＣＵ１０１）に入力制御装置（ＩＰＤ１０１）を設け、直流の電気エネルギー出力端（ＯＵＰＴ１０２）の電圧出力を制御するようにしたブロック図を示す。
【００３４】
図８において、入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送する。
【００３５】
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交流極性の電気エネルギーに変換してから、変圧器（ＴＲ１０１）の１次側巻線（Ｗ１）へ伝送し、変圧器（ＴＲ１０１）の２次側巻線（Ｗ２）から設定した変圧比の交流極性の電気エネルギーを出力し、ブリッジ整流装置（ＢＲ１０１）の直流出力端子を経て、補助直流の電気エネルギー出力端（Ｔ３）へ伝送する。
【００３６】
直流の電気エネルギー入力端（ＩＮＰＴ１０１）の正端子には、電気エネルギー制御装置（ＥＣＵ１０１）の正極端子が接続され、また直流補助電源の負端子が接続される。更に直流補助電源の正端子が直流の電気エネルギー出力端（ＯＵＰＴ１０２）の正端子と接続され、また直流の電気エネルギー入力端（ＩＮＰＴ１０１）の負端子と電気エネルギー制御装置（ＥＣＵ１０１）の負端子が接続されて、さらに直流の電気エネルギー出力端（ＯＵＰＴ１０２）の負端子とが接続される。
【００３７】
直流補助電源の出力正端子と負端子との間にバイパス機能のダイオード（ＣＲ１０１）が並列に接続され、ダイオード（ＣＲ１０１）の電流流入端子とブリッジ整流装置（ＢＲ１０１）出力の負端子が接続されて、ダイオード（ＣＲ１０１）の出力端子とブリッジ整流装置（ＢＲ１０１）出力の正端子が接続されて、直流電源を順極性に直列接続する直流補助電源が構成される。そして直流の電気エネルギー出力端（ＯＵＰＴ１０２）によって電圧に加算する昇圧を出力することによって、一部のパワーコントロール型直流の電気エネルギーの出力駆動回路を構成する。
【００３８】
さらに、直流の電気エネルギー出力端（ＯＵＰＴ１０２）に電気エネルギー検知装置が設置される。電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送（帰還）することにより、電気エネルギー制御装置（ＥＣＵ１０１）によって、電圧出力と電流出力モードの両方、又はいずれか一方を設定する。
【００３９】
そして、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更する。
【００４０】
（実施の形態８）
図９は図５に示した実施の形態４の電気エネルギー制御装置（ＥＣＵ１０１）に入力制御装置（ＩＰＤ１０１）を設け、直流の電気エネルギー出力端（ＯＵＰＴ１０２）の電圧出力を制御するようにしたブロック図を示す。
【００４１】
図９において、入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送する。
【００４２】
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交流極性の電気エネルギーに変換してから、変圧器（ＴＲ１０１）の１次側巻線（Ｗ１）へ伝送し、変圧器（ＴＲ１０１）の２次側巻線（Ｗ２）から設定した変圧比の交流極性の電気エネルギーを出力し、ブリッジ整流装置（ＢＲ１０１）の直流出力端を経て、補助直流の電気エネルギー出力端（Ｔ３）へ伝送する。
【００４３】
直流の電気エネルギー入力端（ＩＮＰＴ１０１）には、電気エネルギー制御装置（ＥＣＵ１０１）の正端子が接続され、また直流補助電源の負端子が接続される。更に直流補助電源の正端子と直流の電気エネルギー出力端（ＯＵＰＴ１０２）の正端子が接続され、また直流の電気エネルギー入力端（ＩＮＰＴ１０１）の負端子と電気エネルギー制御装置（ＥＣＵ１０１）の負端子が接続されて、さらに直流の電気エネルギー出力端（ＯＵＰＴ１０２）の負端が接続される。
【００４４】
直流補助電源の出力正端子と負端子との間には、バイパス機能のダイオード（ＣＲ１０１）が並列に接続され、ダイオード（ＣＲ１０１）の電流流入端子とブリッジ整流装置（ＢＲ１０１）出力の負端子が接続されて、ダイオード（ＣＲ１０１）の出力端子とブリッジ整流装置（ＢＲ１０１）出力の正端子とが接続されることによって、直流電源を順極性に直列接続する直流補助電源が構成され、更に直流の電気エネルギー出力端（ＯＵＰＴ１０２）によって電圧に加算する昇圧を出力することによって、一部のパワーコントロール型直流の電気エネルギーの出力駆動回路を構成する。
【００４５】
さらに、直流の電気エネルギー出力端（ＯＵＰＴ１０２）に電気エネルギー検知装置を設置する。電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送（帰還）することにより、電気エネルギー制御装置（ＥＣＵ１０１）によって、電圧出力と電流出力モードの両方、又はいずれか一方を設定し、電気エネルギー制御装置（ＥＣＵ１０１）に対して変圧器（ＴＲ１０１）の１次側巻線（Ｗ１）へ出力し、出力された電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更する。
【００４６】
ブリッジ整流装置（ＢＲ１０１）の補助直流の電気エネルギー出力端（Ｔ３）、直流の電気エネルギー出力端（ＯＵＰＴ１０２）の両端には、電気エネルギーリップル抑制回路装置（ＲＦＣ１００）と電気エネルギーリップル抑制回路装置（ＲＦＣ２００）の両方、又はいずれか一方を並列に接続する。
【００４７】
前述の電気エネルギー検知装置は下記を含む：
電圧検知装置（ＶＤ１００）は、物理効果によって構成される電圧検知装置である。検知した電圧値の大きさによって、アナログ又はデジタル信号に変換してから、電気エネルギー制御装置（ＥＣＵ１０１）へ伝送し、又は表示として用いる。
電流検知装置（ＩＤ１００）は、物理効果によって構成される電流検知装置である。検知した電流値の大きさによって、アナログ又はデジタル信号に変換してから、電気エネルギー制御装置（ＥＣＵ１０１）へ伝送し、又は表示として用いる。
【００４８】
前述の図５及び図９の電気エネルギー検知装置は、電圧検知装置（ＶＤ１００）と電流検知装置（ＩＤ１００）の両方、又はいずれか一方へ信号を回送することによって、変圧器（ＴＲ１０１）の１次側巻線（Ｗ１）に対して電気エネルギーを入力し、電圧出力と電流モードの両方、又はいずれか一方への制御を調整した。
【００４９】
上述した構成においては、以下の一つ又はそれ以上の制御機能を含むものとする。
（一）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力の大きさを制御し、更に最大電流出力の制御を含む。
（二）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力を固定し、又は調整可能な定電流を制御する。
（三）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力値、例えば充電モードに対して、多設定・変動制御を行う。
（四）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力の大きさを制御し、更に最大電圧出力の制御を含む。
（五）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力を固定し、又は調整可能な定電圧を制御する。
（六）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力値、例えば充電モードに対して、多設定・変動制御を行う。
【００５０】
本実施の形態のサブパワーにより制御する昇圧型直流の電気エネルギー出力制御回路装置の直流電源は、各種の物理的から来る直流の電気エネルギー源、例えば機械的エネルギー、人力又は流体のエネルギーに駆動される電気機械式発電機、光エネルギーを電気エネルギーへ転換する光起電力装置、又は電気化学的性質から来る直流の電気エネルギー、例えば１次電池又は２次蓄放電装置、燃料電池装置、生物的から来る直流の電気エネルギー、交流電源を整流した定電圧、又は変動電源の直流の電気エネルギーを含む。
【００５１】
以上、本実施の形態においては、下記構成が含まれる。
（１）電気エネルギー制御装置（ＥＣＵ１０１）は、電気機械式ユニット、固体電子ユニット、マイクロプロセッサ、関連ソフトウェアの全部又は一部によって構成され、直流の電気エネルギー入力端（ＩＮＰＴ１０１）に入力する直流の電気エネルギーを交互極性の電気エネルギーに変換してから、変圧器（ＴＲ１０１）の１次側巻線（Ｗ１）へ伝送し、及び変圧器（ＴＲ１０１）の２次側巻線（Ｗ２）から設定した変圧比の相対交互極性の電気エネルギーを出力し、ブリッジ整流装置（ＢＲ１０１）の直流出力端を経て、補助直流の電気エネルギー出力端（Ｔ３）へ伝送する。直流の電気エネルギー入力端（ＩＮＰＴ１０１）に電気エネルギー制御装置（ＥＣＵ１０１）の正極へ入力し、及び直流補助電源の負端と繋いでから、更に直流補助電源の正端から直流の電気エネルギー出力端（ＯＵＰＴ１０２）の正端へ出力し、また直流の電気エネルギー入力端（ＩＮＰＴ１０１）の負端と電気エネルギー制御装置（ＥＣＵ１０１）の負端を繋いでから、直流の電気エネルギー出力端（ＯＵＰＴ１０２）の負端と繋ぐ、直流補助電源の出力正端と負端との間にバイパス機能のダイオード（ＣＲ１０１）を並列に接続し、ダイオード（ＣＲ１０１）の電流流入端とブリッジ整流装置（ＢＲ１０１）出力の負端を繋いでから、ダイオード（ＣＲ１０１）の出力端とブリッジ整流装置（ＢＲ１０１）出力の正端を繋ぐことによって、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成することを特徴とするサブパワーにより制御する昇圧型直流の電気エネルギー出力制御回路装置。
（２）ブリッジ整流装置（ＢＲ１０１）の補助直流の電気エネルギー出力端（Ｔ３）、直流の電気エネルギー出力端（ＯＵＰＴ１０２）の両端に電気エネルギーリップル抑制回路装置（ＲＦＣ１００）又は電気エネルギーリップル抑制回路装置（ＲＦＣ２００）を並列に接続することによって、補助直流の電気エネルギーのリップルを減らすことを特徴とする（１）に記載のサブパワーにより制御する昇圧型直流の電気エネルギー出力制御回路装置。
（３）直流の電気エネルギー出力端（ＯＵＰＴ１０２）に電気エネルギー検知装置を設置し、電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送することにより、電気エネルギー制御装置（ＥＣＵ１０１）によって、電圧出力と電流出力モードの両方、又はいずれか一方を設定し、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更することを特徴とする（１）に記載のサブパワーにより制御する昇圧型直流の電気エネルギー出力制御回路装置。
（４）ブリッジ整流装置（ＢＲ１０１）の補助直流の電気エネルギー出力端（Ｔ３）に電気エネルギーリップル抑制回路装置（ＲＦＣ１００）、直流の電気エネルギー出力端（ＯＵＰＴ１０２）の両端に電気エネルギーリップル抑制回路装置（ＲＦＣ１００）又は電気エネルギーリップル抑制回路装置（ＲＦＣ２００）を並列に接続し、及び直流の電気エネルギー出力端（ＯＵＰＴ１０２）に電気エネルギー検知装置を設置し、電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送することにより、電気エネルギー制御装置（ＥＣＵ１０１）によって電圧出力と電流出力モードの両方、又はいずれか一方を設定し、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更することを特徴とする（１）に記載のサブパワーにより制御する昇圧型直流の電気エネルギー出力制御回路装置。
（５）電気エネルギー制御装置（ＥＣＵ１０１）を備える入力制御装置（ＩＰＤ１０１）を設け、更に直流の電気エネルギー出力端（ＯＵＰＴ１０２）の電圧出力を制御し、
入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送し、
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交互極性の電気エネルギーに変換してから、変圧器（ＴＲ１０１）の１次側巻線（Ｗ１）へ伝送し、及び変圧器（ＴＲ１０１）の２次側巻線（Ｗ２）から設定した変圧比の相対交互極性の電気エネルギーを出力し、ブリッジ整流装置（ＢＲ１０１）の直流出力端を経て、補助直流の電気エネルギー出力端（Ｔ３）へ伝送し、直流の電気エネルギー入力端（ＩＮＰＴ１０１）に電気エネルギー制御装置（ＥＣＵ１０１）の正極へ入力し、及び直流補助電源の負端と繋いでから、更に直流補助電源の正端から直流の電気エネルギー出力端（ＯＵＰＴ１０２）の正端へ出力し、また直流の電気エネルギー入力端（ＩＮＰＴ１０１）の負端と電気エネルギー制御装置（ＥＣＵ１０１）の負端を繋いでから、直流の電気エネルギー出力端（ＯＵＰＴ１０２）の負端と繋ぐ、直流補助電源の出力正端と負端との間にバイパス機能のダイオード（ＣＲ１０１）を並列に接続し、ダイオード（ＣＲ１０１）の電流流入端とブリッジ整流装置（ＢＲ１０１）出力の負端を繋いでから、ダイオード（ＣＲ１０１）の出力端とブリッジ整流装置（ＢＲ１０１）出力の正端を繋ぐことによって、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成することを特徴とする（１）に記載のサブパワーにより制御する昇圧型直流の電気エネルギー出力制御回路装置。
（６）電気エネルギー制御装置（ＥＣＵ１０１）を備える入力制御装置（ＩＰＤ１０１）を設け、更に直流の電気エネルギー出力端（ＯＵＰＴ１０２）の電圧出力を制御し、
入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送し、
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交互極性の電気エネルギーに変換してから、変圧器（ＴＲ１０１）の１次側巻線（Ｗ１）へ伝送し、及び変圧器（ＴＲ１０１）の２次側巻線（Ｗ２）から設定した変圧比の相対交互極性の電気エネルギーを出力し、ブリッジ整流装置（ＢＲ１０１）の直流出力端を経て、補助直流の電気エネルギー出力端（Ｔ３）へ伝送し、直流の電気エネルギー入力端（ＩＮＰＴ１０１）に電気エネルギー制御装置（ＥＣＵ１０１）の正極へ入力し、及び直流補助電源の負端と繋いでから、更に直流補助電源の正端から直流の電気エネルギー出力端（ＯＵＰＴ１０２）の正端へ出力し、また直流の電気エネルギー入力端（ＩＮＰＴ１０１）の負端と電気エネルギー制御装置（ＥＣＵ１０１）の負端を繋いでから、直流の電気エネルギー出力端（ＯＵＰＴ１０２）の負端と繋ぐ、直流補助電源の出力正端と負端との間にバイパス機能のダイオード（ＣＲ１０１）を並列に接続し、ダイオード（ＣＲ１０１）の電流流入端とブリッジ整流装置（ＢＲ１０１）出力の負端を繋いでから、ダイオード（ＣＲ１０１）の出力端とブリッジ整流装置（ＢＲ１０１）出力の正端を繋ぐことによって、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成し、
ブリッジ整流装置（ＢＲ１０１）の補助直流の電気エネルギー出力端（Ｔ３）、直流の電気エネルギー出力端（ＯＵＰＴ１０２）の両端に電気エネルギーリップル抑制回路装置（ＲＦＣ１００）と電気エネルギーリップル抑制回路装置（ＲＦＣ２００）の両方、又はいずれか一方を並列に接続することを特徴とする（２）に記載のサブパワーにより制御する昇圧型直流の電気エネルギー出力制御回路装置。
（７）電気エネルギー制御装置（ＥＣＵ１０１）を備える入力制御装置（ＩＰＤ１０１）を設け、更に直流の電気エネルギー出力端（ＯＵＰＴ１０２）の電圧出力を制御し、
入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送し、
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交互極性の電気エネルギーに変換してから、変圧器（ＴＲ１０１）の１次側巻線（Ｗ１）へ伝送し、及び変圧器（ＴＲ１０１）の２次側巻線（Ｗ２）から設定した変圧比の相対交互極性の電気エネルギーを出力し、ブリッジ整流装置（ＢＲ１０１）の直流出力端を経て、補助直流の電気エネルギー出力端（Ｔ３）へ伝送し、直流の電気エネルギー入力端（ＩＮＰＴ１０１）に電気エネルギー制御装置（ＥＣＵ１０１）の正極へ入力し、及び直流補助電源の負端と繋いでから、更に直流補助電源の正端から直流の電気エネルギー出力端（ＯＵＰＴ１０２）の正端へ出力し、また直流の電気エネルギー入力端（ＩＮＰＴ１０１）の負端と電気エネルギー制御装置（ＥＣＵ１０１）の負端を繋いでから、直流の電気エネルギー出力端（ＯＵＰＴ１０２）の負端と繋ぐ、直流補助電源の出力正端と負端との間にバイパス機能のダイオード（ＣＲ１０１）を並列に接続し、ダイオード（ＣＲ１０１）の電流流入端とブリッジ整流装置（ＢＲ１０１）出力の負端を繋いでから、ダイオード（ＣＲ１０１）の出力端とブリッジ整流装置（ＢＲ１０１）出力の正端を繋ぐことによって、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成し、
及び直流の電気エネルギー出力端（ＯＵＰＴ１０２）に電気エネルギー検知装置を設置し、電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送することにより、電気エネルギー制御装置（ＥＣＵ１０１）によって、電圧出力と電流出力モードの両方、又はいずれか一方を設定し、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更することを特徴とする（３）に記載のサブパワーにより制御する昇圧型直流の電気エネルギー出力制御回路装置。
（８）電気エネルギー制御装置（ＥＣＵ１０１）を備える入力制御装置（ＩＰＤ１０１）を設け、更に直流の電気エネルギー出力端（ＯＵＰＴ１０２）の電圧出力を制御し、
入力制御装置（ＩＰＤ１０１）は、電気機械式ユニット又は固体電子ユニットによって構成されることにより、人力又は外部電気エネルギー信号に制御され、信号を電気エネルギー制御装置（ＥＣＵ１０１）へ伝送し、
電気エネルギー制御装置（ＥＣＵ１０１）は、電気機械式ユニット、固体電子ユニット、マイクロプロセッサ、関連ソフトウェアの全部又は一部によって構成され、入力制御装置（ＩＰＤ１０１）に制御され、直流の電気エネルギー入力端（ＩＮＰＴ１０１）に入力する直流の電気エネルギーを交互極性の電気エネルギーに変換してから、変圧器（ＴＲ１０１）の１次側巻線（Ｗ１）へ伝送し、及び変圧器（ＴＲ１０１）の２次側巻線（Ｗ２）から設定した変圧比の相対交互極性の電気エネルギーを出力し、ブリッジ整流装置（ＢＲ１０１）の直流出力端を経て、補助直流の電気エネルギー出力端（Ｔ３）へ伝送する。直流の電気エネルギー入力端（ＩＮＰＴ１０１）に電気エネルギー制御装置（ＥＣＵ１０１）の正極へ入力し、及び直流補助電源の負端と繋いでから、更に直流補助電源の正端から直流の電気エネルギー出力端（ＯＵＰＴ１０２）の正端へ出力し、また直流の電気エネルギー入力端（ＩＮＰＴ１０１）の負端と電気エネルギー制御装置（ＥＣＵ１０１）の負端を繋いでから、直流の電気エネルギー出力端（ＯＵＰＴ１０２）の負端と繋ぐ、直流補助電源の出力正端と負端との間にバイパス機能のダイオード（ＣＲ１０１）を並列に接続し、ダイオード（ＣＲ１０１）の電流流入端とブリッジ整流装置（ＢＲ１０１）出力の負端を繋いでから、ダイオード（ＣＲ１０１）の出力端とブリッジ整流装置（ＢＲ１０１）出力の正端を繋ぐことによって、直流電源を順極性に直列接続する直流補助電源を獲得してから、更に直流の電気エネルギー出力端（ＯＵＰＴ１０２）によって電圧に加算する昇圧を出力することによって、一部のパワーコントロール型直流の電気エネルギーの出力駆動回路を構成し、
及び直流の電気エネルギー出力端（ＯＵＰＴ１０２）に電気エネルギー検知装置を設置し、電気エネルギー検知装置は電圧検知装置（ＶＤ１００）と電流検知装置（ＩＤ１００）の両方、又はいずれか一方を含み、電圧と電流の両方、又はいずれか一方を表示し、また検知信号を電気エネルギー制御装置（ＥＣＵ１０１）へ回送することにより、電気エネルギー制御装置（ＥＣＵ１０１）によって、電圧出力と電流出力モードの両方、又はいずれか一方を設定し、電気エネルギー制御装置（ＥＣＵ１０１）に対して変圧器（ＴＲ１０１）の１次側巻線（Ｗ１）へ伝送する入力した電気エネルギーを制御することによって、補助直流の電気エネルギー出力端（Ｔ３）の電圧出力と電流出力の両方、又はいずれか一方を調整し、更に相対的に直流の電気エネルギー出力端（ＯＵＰＴ１０２）の電圧出力と電流の両方、又はいずれか一方を変更し、
ブリッジ整流装置（ＢＲ１０１）の補助直流の電気エネルギー出力端（Ｔ３）、直流の電気エネルギー出力端（ＯＵＰＴ１０２）の両端に電気エネルギーリップル抑制回路装置（ＲＦＣ１００）と電気エネルギーリップル抑制回路装置（ＲＦＣ２００）の両方、又はいずれか一方を並列に接続することを特徴とする（４）に記載のサブパワーにより制御する昇圧型直流の電気エネルギー出力制御回路装置。
（９）前述の電気エネルギー検知装置は下記を含み、
電圧検知装置（ＶＤ１００）は、物理効果によって構成される電圧検知装置であり、検知した電圧値の大きさによって、アナログ又はデジタル信号に変換してから、電気エネルギー制御装置（ＥＣＵ１０１）へ伝送し、又は表示として用い、
電流検知装置（ＩＤ１００）は、物理効果によって構成される電流検知装置であり、検知した電流値の大きさによって、アナログ又はデジタル信号に変換してから、電気エネルギー制御装置（ＥＣＵ１０１）へ伝送し、又は表示として用い、
電気エネルギー検知装置は、電圧検知装置（ＶＤ１００）と電流検知装置（ＩＤ１００）の両方、又はいずれか一方へ信号を回送することによって、変圧器（ＴＲ１０１）の１次側巻線（Ｗ１）に対して電気エネルギーを入力し、電圧出力と電流モードの両方、又はいずれか一方への制御を調整し、上記は以下一種又はそれ以上の制御機能を含み、
（一）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力の大きさを制御し、更に最大電流出力の制御を含み、
（二）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力を固定し、又は調整可能な定電流を制御し、
（三）電流検知装置（ＩＤ１００）の稼動、人工制御入力制御装置（ＩＰＤ１０１）の制御及び電気エネルギー制御装置（ＥＣＵ１０１）の稼動の三者、またいずれか一つにより、電流出力値、例えば充電モードに対して、多設定・変動制御を行う、
（四）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力の大きさを制御し、更に最大電圧出力の制御を含み、
（五）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力を固定し、又は調整可能な定電圧を制御し、
（六）電圧検知装置（ＶＤ１００）の稼動、人工制御入力制御装置（ＩＰＤ１０１）の制御及び電気エネルギー制御装置（ＥＣＵ１０１）の稼動の三者、またいずれか一つにより、電圧出力値、例えば充電モードに対して、多設定・変動制御を行うことを特徴とする（３）、（４）、（７）または（８）に記載のサブパワーにより制御する昇圧型直流の電気エネルギー出力制御回路装置。
（１０）直流電源は、各種の物理的から来る直流の電気エネルギー源、例えば機械的エネルギー、人力又は流体のエネルギーに駆動される電気機械式発電機、光エネルギーを電気エネルギーへ転換する光起電力装置、又は電気化学的性質から来る直流の電気エネルギー、例えば１次電池又は２次蓄放電装置、燃料電池装置、生物的から来る直流の電気エネルギー、交流電源を整流した定電圧、又は変動電源の直流の電気エネルギーを含むことを特徴とする（１）に記載のサブパワーにより制御する昇圧型直流の電気エネルギー出力制御回路装置。
【符号の説明】
【００５２】
ＢＲ１０１：ブリッジ整流装置
ＣＲ１０１：ダイオード
ＥＣＵ１０１：電気エネルギー制御装置
ＩＤ１００：電流検知装置
ＩＰＤ１０１：入力制御装置
ＩＮＰＴ１０１：直流の電気エネルギー入力端
ＯＵＰＴ１０２：直流の電気エネルギー出力端
ＲＦＣ１００、ＲＦＣ２００：電気エネルギーリップル抑制回路装置
Ｔ３：補助直流の電気エネルギー出力端
ＴＲ１０１：変圧器
ＶＤ１００：電圧検知装置
Ｗ１：１次側巻線
Ｗ２：２次側巻線
【図１】
2015012805.tif 000003
【図２】
2015012805.tif 000004
【図３】
2015012805.tif 000005
【図４】
2015012805.tif 000006
【図５】
2015012805.tif 000007
【図６】
2015012805.tif 000008
【図７】
2015012805.tif 000009
【図８】
2015012805.tif 000010
【図９】
2015012805.tif 000011